(57)【要約】【課題】シール部材が小径孔から脱落するのを防止して密封性を確保して信頼性を向上させると共に、取扱い性を向上させた回転速度検出装置付き車輪用軸受装置を提供する。【解決手段】キャップ本体１３の取付部１５にナット２１がインサート成形によって埋め込まれ、取付フランジ２０ｂを介して固定ボルト２２を締結することにより、センサホルダ２０が取付部１５に固定されると共に、ナット２１の端面に位置してナット２１内からキャップ本体１３の端面に貫通し、凹球面からなる受け面２４を有する小径孔２３が設けられ、この小径孔２３の開口部に保持爪２６が形成されると共に、受け面２４とナット２１の端面との間にゴム球からなるシール部材２５がシメシロを持って介装されることにより密封し、保持爪２６の周囲に環状の凸部２７が形成され、この凸部２７とシール部材２５の頂点との間に段差δ１が設けられている。【選択図】図２
2016121729.tif 000002
【特許請求の範囲】
【請求項１】
内周に複列の外側転走面が一体に形成された外方部材と、
一端部に車輪を取り付けるための車輪取付フランジを一体に有し、外周に軸方向に延びる小径段部が形成されたハブ輪、およびこのハブ輪の小径段部に圧入された少なくとも一つの内輪からなり、外周に前記複列の外側転走面に対向する複列の内側転走面が形成された内方部材と、
この内方部材と前記外方部材のそれぞれの転走面間に転動自在に収容された複列の転動体と、
前記内輪に外嵌され、円周方向に特性を交互に、かつ等間隔に変化させたパルサリングと、
前記外方部材のインナー側の端部に内嵌固定され、合成樹脂を射出成形してなる有底円筒状のセンサキャップと、を備え、
このセンサキャップの合成樹脂の部分の径方向外方部に取付部が軸方向に突出して形成され、この取付部の前記パルサリングに対応する位置に軸方向に延びる挿入孔が形成されると共に、
この挿入孔にセンサユニットを構成するセンサホルダが装着され、このセンサホルダに包埋された回転速度センサが前記パルサリングに対峙されている回転速度検出装置付き車輪用軸受装置において、
前記センサホルダに取付フランジが設けられ、前記センサキャップの取付部に、内周に雌ねじが形成されたナットがインサート成形によって埋め込まれ、前記取付フランジを介して固定ボルトを締結することにより、前記センサホルダが前記取付部に固定されると共に、
前記ナットのアウター側の端面に位置して当該ナット内から前記センサキャップの軸受内部側の端面に貫通し、内周が凹球面に形成された受け面を有する小径孔が設けられ、前記受け面とナットのアウター側の端面との間にゴム球からなるシール部材がシメシロを持って介装されることにより密封し、
このシール部材のアウター側の頂点よりもアウター側に突出する遮蔽壁が形成されていることを特徴とする回転速度検出装置付き車輪用軸受装置。
【請求項２】
前記小径孔のアウター側の開口部に保持爪が形成され、この保持爪の最小径が前記シール部材の直径よりも小径になるように設定されている請求項１に記載の回転速度検出装置付き車輪用軸受装置。
【請求項３】
前記保持爪の周囲に前記遮蔽壁となる環状の凸部が同心状に突出して形成され、この凸部の先端と前記シール部材のアウター側の頂点との間に段差が設けられている請求項２に記載の回転速度検出装置付き車輪用軸受装置。
【請求項４】
前記凸部の断面が先端に向って薄肉となる台形状に形成されている請求項３に記載の回転速度検出装置付き車輪用軸受装置。
【請求項５】
前記保持爪の周囲に前記遮蔽壁となる凸部が櫛状に突出して形成され、この凸部の先端と前記シール部材のアウター側の頂点との間に段差が設けられている請求項２に記載の回転速度検出装置付き車輪用軸受装置。
【請求項６】
前記保持爪が先端に向って漸次拡径するようにラッパ状に形成され、この保持爪の先端と前記シール部材のアウター側の頂点との間に段差が設けられている請求項２に記載の回転速度検出装置付き車輪用軸受装置。
【請求項７】
前記センサキャップが、合成樹脂を射出成形してなる有底円筒状のキャップ本体と、このキャップ本体の開口部に一体モールドされた芯金とからなり、この芯金が前記キャップ本体の外周部に露出し、前記外方部材の端部内周に圧入されている請求項１に記載の回転速度検出装置付き車輪用軸受装置。
【発明の詳細な説明】
【技術分野】
【０００１】
本発明は、自動車等の車輪を懸架装置に対して回転自在に支承する車輪用軸受装置、特に、車輪の回転速度を検出する回転速度検出装置が内蔵され、密封性を確保して信頼性を向上させると共に、取扱い性を向上させた回転速度検出装置付き車輪用軸受装置に関するものである。
【背景技術】
【０００２】
自動車の車輪を懸架装置に対して回転自在に支承すると共に、アンチロックブレーキシステム（ＡＢＳ）を制御し、車輪の回転速度を検出する回転速度検出装置が内蔵された回転速度検出装置付き車輪用軸受装置が一般的に知られている。従来、このような車輪用軸受装置は、転動体を介して転接する内方部材および外方部材の間にシール装置が設けられ、円周方向に磁極を交互に並べてなる磁気エンコーダを前記シール装置に一体化させると共に、磁気エンコーダと、この磁気エンコーダに対面配置され、車輪の回転に伴う磁気エンコーダの磁極変化を検出する回転速度センサとで回転速度検出装置が構成されている。
【０００３】
前記回転速度センサは、懸架装置を構成するナックルに車輪用軸受装置が装着された後、当該ナックルに装着されているものが一般的である。しかし、この回転速度センサと磁気エンコーダとのエアギャップの調整作業の煩雑さを解消すると共に、よりコンパクト化を狙って、最近では回転速度センサをも軸受に内蔵した回転速度検出装置付き車輪用軸受装置が提案されている。
【０００４】
このような回転速度検出装置付き車輪用軸受装置の一例として図４に示すような構造が知られている。この回転速度検出装置付き車輪用軸受装置は、図示しないナックルに支持固定され、内周に複列の外側転走面５１ａ、５１ａが形成された外方部材５１と、この外方部材５１に複列のボール５３、５３を介して内挿された内方部材５２とを有している。内方部材５２は、ハブ輪５５と、このハブ輪５５に外嵌された内輪５６とからなる。
【０００５】
内方部材５２は、前記した外方部材５１の外側転走面５１ａ、５１ａに対向する複列の内側転走面５５ａ、５６ａが形成されている。これら複列の内側転走面５５ａ、５６ａのうち一方の内側転走面５５ａはハブ輪５５の外周に一体形成され、他方の内側転走面５６ａは内輪５６の外周に形成されている。この内輪５６は、ハブ輪５５の内側転走面５５ａから軸方向に延びる軸状の小径段部５５ｂに圧入されている。そして、複列のボール５３、５３がこれら両転走面間にそれぞれ収容され、保持器５７、５７によって転動自在に保持されている。
【０００６】
ハブ輪５５は、外周に車輪（図示せず）を取り付けるための車輪取付フランジ５４を一体に有し、小径段部５５ｂの端部を径方向外方に塑性変形して加締部５８が形成され、この加締部５８によって前記内輪５６が軸方向に固定されている。そして、外方部材５１の端部にはシール５９およびセンサキャップ６１が装着され、軸受内部に封入された潤滑グリースの漏洩と、外部から軸受内部に雨水やダスト等が侵入するのを防止している。
【０００７】
内輪５６の外周には、磁性金属板により円環状に形成されたパルサリング６０が圧入されている。このパルサリング６０には円周方向に等間隔で並べた複数の窓６０ａが形成されている。
【０００８】
一方、センサキャップ６１は外方部材５１の内方側の端部内周に嵌合され、外方部材５１の開口部を閉塞している。このセンサキャップ６１は、合成樹脂を射出成形してなる有底円筒状のキャップ本体６２と、このキャップ本体６２に結合され、鋼板をプレス成形して断面Ｌ字形の円環状に形成された金属環６３とからなる。そして、キャップ本体６２の射出成形時にモールドすることにより、このキャップ本体６２に一体化されている。
【０００９】
キャップ本体６２の径方向外方部には軸方向に突出する突部６４が形成され、この突部６４に、前記パルサリング６０の窓６０ａに対応する位置に挿入孔６５が形成されている。図５に示すように、挿入孔６５の内周面にはスリーブ６６が嵌合され、このスリーブ６６内にセンサ６７がＯリング６７ａを介して挿入されている。このセンサ６７は、パッシブ型センサからなり、内輪５６と一体に回転するパルサリング６０の窓６０ａがセンサ６７の前を間欠的に横切ることにより、車輪回転数に比例した周波数の回転検出信号を出力する。
【００１０】
キャップ本体６２の突部６４には、その外表面に開口させてインサートナット６８が埋め込まれると共に、センサ支持部材６９が取り付けられている。このセンサ支持部材６９はボルト挿通孔７０を有し、このボルト挿通孔７０にスリーブ７１が嵌合されている。そして、このスリーブ７１内に挿入されたセンサ固定ボルト７２をインサートナット６８にねじ込むことにより、センサ支持部材６９がキャップ本体６２の突部６４に締め付け固定され、センサ６７がキャップ本体６２に取り付けられる。
【００１１】
ここで、キャップ本体６２の突部６４には、インサートナット６８の奥側端面に位置してインサートナット６８内からキャップ本体６２の内側面に貫通する小径孔７３が設けられている。この小径孔７３は、インサートナット６８の奥側端面に対向する受け面７４を内周に有している。その受け面７４とインサートナット６８の奥側端面の間にゴム球からなるシール部材７５がシメシロを持って介装されている。これにより、インサートナット６８のねじ孔や、インサートナット６８の外周とキャップ本体６２の合成樹脂部分との接触は、軸受内部に対して小径孔７３を介して通じているだけであり、ねじ孔やセンサ固定ボルト７２の周辺で、他に軸受内部に通じる箇所がないので、小径孔７３はシール部材７５によって密封されている。そのため、インサートナット６８のねじ孔やセンサ固定ボルト７２、センサ支持部材６９等の間に生じている僅かな隙間と軸受内部とが遮断され、隙間を通じて、泥水等の異物が軸受内部に浸入するのを防止することができる（例えば、特許文献１参照。）。
【先行技術文献】
【特許文献】
【００１２】
【特許文献１】特許第４６２６９７９号公報
【発明の概要】
【発明が解決しようとする課題】
【００１３】
このような従来の回転速度検出装置付き車輪用軸受装置において、前述したゴム球からなるシール部材７５が介装される小径孔７３の構成では、図６（ａ）に示すように、搬送時に単体同士で重ねた際や組立の際、シール部材７５が他部品と干渉する。そして、（ｂ）に示すように、シール部材７５が損傷したり、外力により小径孔７３から脱落したりしてしまう恐れがある。
【００１４】
本発明は、このような従来の問題に鑑みてなされたもので、搬送時や組立時、小径孔に介装されたシール部材が他の部品と干渉しないような構成に着目し、シール部材が損傷したり小径孔から脱落したりするのを防止して密封性を確保して信頼性を向上させると共に、取扱い性を向上させた回転速度検出装置付き車輪用軸受装置を提供することを目的とする。
【課題を解決するための手段】
【００１５】
係る目的を達成すべく、本発明のうち請求項１に記載の発明は、内周に複列の外側転走面が一体に形成された外方部材と、一端部に車輪を取り付けるための車輪取付フランジを一体に有し、外周に軸方向に延びる小径段部が形成されたハブ輪、およびこのハブ輪の小径段部に圧入された少なくとも一つの内輪からなり、外周に前記複列の外側転走面に対向する複列の内側転走面が形成された内方部材と、この内方部材と前記外方部材のそれぞれの転走面間に転動自在に収容された複列の転動体と、前記内輪に外嵌され、円周方向に特性を交互に、かつ等間隔に変化させたパルサリングと、前記外方部材のインナー側の端部に内嵌固定され、合成樹脂を射出成形してなる有底円筒状のセンサキャップと、を備え、このセンサキャップの合成樹脂の部分の径方向外方部に取付部が軸方向に突出して形成され、この取付部の前記パルサリングに対応する位置に軸方向に延びる挿入孔が形成されると共に、この挿入孔にセンサユニットを構成するセンサホルダが装着され、このセンサホルダに包埋された回転速度センサが前記パルサリングに対峙されている回転速度検出装置付き車輪用軸受装置において、前記センサホルダに取付フランジが設けられ、前記センサキャップの取付部に、内周に雌ねじが形成されたナットがインサート成形によって埋め込まれ、前記取付フランジを介して固定ボルトを締結することにより、前記センサホルダが前記取付部に固定されると共に、前記ナットのアウター側の端面に位置して当該ナット内から前記センサキャップの軸受内部側の端面に貫通し、内周が凹球面に形成された受け面を有する小径孔が設けられ、前記受け面とナットのアウター側の端面との間にゴム球からなるシール部材がシメシロを持って介装されることにより密封し、このシール部材のアウター側の頂点よりもアウター側に突出する遮蔽壁が形成されている。
【００１６】
このように、内輪に外嵌され、円周方向に特性を交互に、かつ等間隔に変化させたパルサリングと、外方部材のインナー側の端部に内嵌固定され、合成樹脂を射出成形してなる有底円筒状のセンサキャップを備え、このセンサキャップの径方向外方部に取付部が軸方向に突出して形成され、この取付部のパルサリングに対応する位置に軸方向に延びる挿入孔が形成されると共に、この挿入孔にセンサユニットを構成するセンサホルダが装着され、このセンサホルダに包埋された回転速度センサがパルサリングに対峙されている回転速度検出装置付き車輪用軸受装置において、センサホルダに取付フランジが設けられ、センサキャップの取付部に、内周に雌ねじが形成されたナットがインサート成形によって埋め込まれ、取付フランジを介して固定ボルトを締結することにより、センサホルダが取付部に固定されると共に、ナットのアウター側の端面に位置して当該ナット内からセンサキャップの軸受内部側の端面に貫通し、内周が凹球面に形成された受け面を有する小径孔が設けられ、受け面とナットのアウター側の端面との間にゴム球からなるシール部材がシメシロを持って介装されることにより密封し、このシール部材のアウター側の頂点よりもアウター側に突出する遮蔽壁が形成されているので、ナットの雌ねじや、ナットの外周とセンサキャップの合成樹脂部分との接触は、軸受内部に対して小径孔を介してのみ通じ、雌ねじや固定ボルトの周辺で、他に軸受内部に通じる箇所がなくなり、小径孔はシール部材によって密封されることになり、ナットの雌ねじや固定ボルトおよび取付フランジ等の間に生じている僅かな隙間と軸受内部とが遮断され、隙間を通じて、泥水等の異物が軸受内部に浸入するのを防止することができるので、密封性を確保して信頼性を向上させると共に、搬送時にセンサキャップ同士で重ねた際や組立の際、シール部材が他部品と干渉して外力により損傷したり小径孔から脱落したりするのを防止することができ、取扱い性を向上させた回転速度検出装置付き車輪用軸受装置を提供することができる。
【００１７】
好ましくは、請求項２に記載の発明のように、前記小径孔のアウター側の開口部に保持爪が形成され、この保持爪の最小径が前記シール部材の直径よりも小径になるように設定されていれば、シール部材が小径孔から脱落するのを防止することができる。
【００１８】
また、請求項３に記載の発明のように、前記保持爪の周囲に前記遮蔽壁となる環状の凸部が同心状に突出して形成され、この凸部の先端と前記シール部材のアウター側の頂点との間に段差が設けられていれば、シール部材が他部品と干渉するのを防止することができる。
【００１９】
また、請求項４に記載の発明のように、前記凸部の断面が先端に向って薄肉となる台形状に形成されていれば、凸部の成形時に樹脂が流動し易くなり、成形性を向上させることができ、寸法精度を高めることができる。
【００２０】
また、請求項５に記載の発明のように、前記保持爪の周囲に前記遮蔽壁となる凸部が櫛状に突出して形成され、この凸部の先端と前記シール部材のアウター側の頂点との間に段差が設けられていても良い。
【００２１】
また、請求項６に記載の発明のように、前記保持爪が先端に向って漸次拡径するようにラッパ状に形成され、この保持爪の先端と前記シール部材のアウター側の頂点との間に段差が設けられていれば、シール部材が他部品と干渉して外力により損傷したり小径孔から脱落したりするのを防止することができると共に、シール部材の装着時に弾性変形し易くなって装着性が良くなり作業性を向上させることができる。
【００２２】
また、請求項７に記載の発明のように、前記センサキャップが、合成樹脂を射出成形してなる有底円筒状のキャップ本体と、このキャップ本体の開口部に一体モールドされた芯金とからなり、この芯金が前記キャップ本体の外周部に露出し、前記外方部材の端部内周に圧入されていれば、センサキャップの強度・剛性を高めることができると共に、金属嵌合により嵌合部の密封性を向上させることができる。
【発明の効果】
【００２３】
本発明に係る回転速度検出装置付き車輪用軸受装置は、内周に複列の外側転走面が一体に形成された外方部材と、一端部に車輪を取り付けるための車輪取付フランジを一体に有し、外周に軸方向に延びる小径段部が形成されたハブ輪、およびこのハブ輪の小径段部に圧入された少なくとも一つの内輪からなり、外周に前記複列の外側転走面に対向する複列の内側転走面が形成された内方部材と、この内方部材と前記外方部材のそれぞれの転走面間に転動自在に収容された複列の転動体と、前記内輪に外嵌され、円周方向に特性を交互に、かつ等間隔に変化させたパルサリングと、前記外方部材のインナー側の端部に内嵌固定され、合成樹脂を射出成形してなる有底円筒状のセンサキャップと、を備え、このセンサキャップの合成樹脂の部分の径方向外方部に取付部が軸方向に突出して形成され、この取付部の前記パルサリングに対応する位置に軸方向に延びる挿入孔が形成されると共に、この挿入孔にセンサユニットを構成するセンサホルダが装着され、このセンサホルダに包埋された回転速度センサが前記パルサリングに対峙されている回転速度検出装置付き車輪用軸受装置において、前記センサホルダに取付フランジが設けられ、前記センサキャップの取付部に、内周に雌ねじが形成されたナットがインサート成形によって埋め込まれ、前記取付フランジを介して固定ボルトを締結することにより、前記センサホルダが前記取付部に固定されると共に、前記ナットのアウター側の端面に位置して当該ナット内から前記センサキャップの軸受内部側の端面に貫通し、内周が凹球面に形成された受け面を有する小径孔が設けられ、前記受け面とナットのアウター側の端面との間にゴム球からなるシール部材がシメシロを持って介装されることにより密封し、このシール部材のアウター側の頂点よりもアウター側に突出する遮蔽壁が形成されているので、ナットの雌ねじや、ナットの外周とセンサキャップの合成樹脂部分との接触は、軸受内部に対して小径孔を介してのみ通じ、雌ねじや固定ボルトの周辺で、他に軸受内部に通じる箇所がなくなり、小径孔はシール部材によって密封されることになり、ナットの雌ねじや固定ボルトおよび取付フランジ等の間に生じている僅かな隙間と軸受内部とが遮断され、隙間を通じて、泥水等の異物が軸受内部に浸入するのを防止することができるので、密封性を確保して信頼性を向上させると共に、搬送時にセンサキャップ同士で重ねた際や組立の際、シール部材が他部品と干渉して外力により損傷したり小径孔から脱落したりするのを防止することができ、取扱い性を向上させた回転速度検出装置付き車輪用軸受装置を提供することができる。
【図面の簡単な説明】
【００２４】
【図１】本発明に係る回転速度検出装置付き車輪用軸受装置の一実施形態を示す縦断面図である。
【図２】図１のセンサの取付部を示す要部拡大図である。
【図３】（ａ）は、図２の変形例を示す要部拡大図、（ｂ）は、（ａ）の他の変形例を示す要部拡大図、（ｃ）は、同上、他の変形例を示す要部拡大図である。
【図４】従来の回転速度検出装置付き車輪用軸受装置を示す縦断面図である。
【図５】図４の要部拡大図である。
【図６】（ａ）は、図５のセンサキャップ同士が干渉した状態を示す説明図、（ｂ）は、（ａ）のシール部材が脱落する状態を示す説明図である。
【発明を実施するための形態】
【００２５】
外周に車体に取り付けられるための車体取付フランジを一体に有し、内周に複列の外側転走面が一体に形成された外方部材と、一端部に車輪を取り付けるための車輪取付フランジを一体に有し、外周に前記複列の外側転走面の一方に対向する内側転走面と、この内側転走面から軸方向に延びる小径段部が形成されたハブ輪、およびこのハブ輪の小径段部に圧入され、前記複列の外側転走面の他方に対向する内側転走面が形成された内輪からなる内方部材と、この内方部材と前記外方部材のそれぞれの転走面間に転動自在に収容された複列の転動体と、前記内輪に外嵌され、円周方向に特性を交互に、かつ等間隔に変化させたパルサリングと、前記外方部材のインナー側の端部に内嵌固定されたセンサキャップと、を備え、このセンサキャップが、合成樹脂を射出成形してなる有底円筒状のキャップ本体と、このキャップ本体の開口部に一体モールドされた芯金とからなり、前記キャップ本体の径方向外方部に取付部が軸方向に突出して形成され、この取付部の前記パルサリングに対応する位置に軸方向に延びる挿入孔が形成されると共に、この挿入孔にセンサユニットを構成するセンサホルダが装着され、このセンサホルダに包埋された回転速度センサが前記パルサリングに対峙されている回転速度検出装置付き車輪用軸受装置において、前記センサホルダに取付フランジが設けられ、前記キャップ本体の取付部に、内周に雌ねじが形成されたナットがインサート成形によって埋め込まれ、前記取付フランジを介して固定ボルトを締結することにより、前記センサホルダが前記取付部に固定されると共に、前記ナットのアウター側の端面に位置して当該ナット内から前記キャップ本体の軸受内部側の端面に貫通し、内周が凹球面に形成された受け面を有する小径孔が設けられ、この小径孔のアウター側の開口部に保持爪が形成されると共に、この保持爪の最小径が前記シール部材の直径よりも小径になるように設定され、前記受け面とナットのアウター側の端面との間にゴム球からなるシール部材がシメシロを持って介装されることにより密封し、前記保持爪の周囲に環状の凸部が同心状に突出して形成され、この凸部の先端と前記シール部材のアウター側の頂点との間に段差が設けられている。
【実施例】
【００２６】
以下、本発明の実施の形態を図面に基づいて詳細に説明する。
図１は、本発明に係る回転速度検出装置付き車輪用軸受装置の一実施形態を示す縦断面図、図２は、図１のセンサの取付部を示す要部拡大図、図３（ａ）は、図２の変形例を示す要部拡大図、（ｂ）は、（ａ）の他の変形例を示す要部拡大図、（ｃ）は、同上、他の変形例を示す要部拡大図である。なお、以下の説明では、車両に組み付けた状態で車両の外側寄りとなる側をアウター側（図１の左側）、中央寄り側をインナー側（図１の右側）という。
【００２７】
この回転速度検出装置付き車輪用軸受装置は従動輪側の第３世代と呼称され、ハブ輪１と、このハブ輪１に圧入された内輪２とからなる内方部材３と、この内方部材３に複列の転動体（ボール）４、４を介して外挿された外方部材５とを備えている。
【００２８】
ハブ輪１は、アウター側の端部に車輪（図示せず）を取り付けるための車輪取付フランジ６を一体に有し、この車輪取付フランジ６の円周等配位置には車輪を締結するためのハブボルト６ａが植設されている。また、外周にアウター側（一方）の内側転走面１ａと、この内側転走面１ａから軸方向に延びる軸状の小径段部１ｂが形成され、この小径段部１ｂに内輪２が所定のシメシロを介して圧入されている。そして、小径段部１ｂの端部を径方向外方に塑性変形させて加締部１ｃが形成され、この加締部１ｃによってハブ輪１に対して内輪２が所定の軸受予圧が付与された状態で軸方向に固定されている。なお、内輪２の外周にはインナー側（他方）の内側転走面２ａが形成されている。
【００２９】
一方、外方部材５は、外周に懸架装置を構成するナックル（図示せず）に固定される車体取付フランジ５ｂを一体に有し、内周に前記内方部材３の複列の内側転走面１ａ、２ａに対向する複列の外側転走面５ａ、５ａが一体に形成されている。そして、これら両転走面５ａ、１ａおよび５ａ、２ａ間に保持器７、７によって転動自在に保持された複列の転動体４、４が収容されている。
【００３０】
外方部材５の両端部にはシール８およびセンサキャップ９が装着され、外方部材５と内方部材３との間に形成される環状空間の開口部を密封している。そして、これらシール８およびセンサキャップ９により、軸受内部に封入された潤滑グリースの外部への漏洩と、外部から雨水やダスト等が軸受内部に侵入するのを防止している。
【００３１】
ハブ輪１はＳ５３Ｃ等の炭素０．４０〜０．８０ｗｔ％を含む中高炭素鋼で形成され、内側転走面１ａをはじめ、シール８のシールランド部となる車輪取付フランジ６のインナー側の基部６ｂから小径段部１ｂに亙って高周波焼入れによって表面硬さを５８〜６４ＨＲＣの範囲に硬化処理されている。なお、加締部１ｃは、鍛造後の素材表面硬さ３０ＨＲＣ以下の未焼入れ部としている。
【００３２】
外方部材５は、ハブ輪１と同様、Ｓ５３Ｃ等の炭素０．４０〜０．８０ｗｔ％を含む中高炭素鋼で形成され、少なくとも複列の外側転走面５ａ、５ａが高周波焼入れによって表面硬さを５８〜６４ＨＲＣの範囲に硬化処理されている。一方、内輪２はＳＵＪ２等の高炭素クロム軸受鋼からなり、ズブ焼入れにより芯部まで５８〜６４ＨＲＣの範囲で硬化処理されている。また、転動体４はＳＵＪ２等の高炭素クロム軸受鋼からなり、ズブ焼入れにより芯部まで６２〜６７ＨＲＣの範囲で硬化処理されている。なお、ここでは、転動体４をボールとした複列アンギュラ玉軸受で構成された車輪用軸受装置を例示したが、これに限らず転動体に円錐ころを使用した複列円錐ころ軸受で構成されたものであっても良い。また、第３世代の構造を例示したが、一対の内輪をハブ輪に圧入した、所謂第２世代構造であっても良い。
【００３３】
内輪２の外周にはパルサリング１０が圧入されている。このパルサリング１０は、円環状に形成された支持環１１と、この支持環１１の側面に加硫接着等で一体に接合された磁気エンコーダ１２とで構成されている。この磁気エンコーダ１２は、ゴム等のエラストマにフェライト等の磁性体粉が混入され、周方向に交互に磁極Ｎ、Ｓが着磁されて車輪の回転速度検出用のロータリエンコーダを構成している。
【００３４】
支持環１１は強磁性体の鋼板、例えば、フェライト系のステンレス鋼板（ＪＩＳ規格のＳＵＳ４３０系等）や防錆処理された冷間圧延鋼板（ＪＩＳ規格のＳＰＣＣ系等）からプレス加工によって断面略Ｌ字状に形成され、内輪２に圧入される円筒部１１ａと、この円筒部１１ａから径方向内方に延びる立板部１１ｂとを有している。この立板部１１ｂのインナー側の側面に磁気エンコーダ１２が接合されている。
【００３５】
センサキャップ９は外方部材５のインナー側の端部に内嵌固定され、外方部材５の開口部を閉塞している。このセンサキャップ９は、合成樹脂を射出成形してなる有底円筒状のキャップ本体１３と、このキャップ本体１３の開口部に一体モールドされた芯金１４とからなる。この芯金１４は、耐食性を有するステンレス鋼板をプレス成形して断面Ｌ字形の円環状に形成されている。特に、この芯金１４は、後述する回転速度センサ１９の感知性能に悪影響を及ぼさないように、非磁性体の鋼板、例えば、オーステナイト系ステンレス鋼板（ＪＩＳ規格のＳＵＳ３０４系等）で形成されるのが好ましい。ここでは、芯金１４が外方部材５との嵌合部に露出するようにインサート成形により一体に固着されているので、長期間に亘って外方部材５とセンサキャップ９との嵌合面の気密性を高めることができる。
【００３６】
キャップ本体１３は、ＧＦ（グラス繊維）等の繊維状強化材が１０〜４０ｗｔ％充填されたＰＡ（ポリアミド）６６等の熱可塑性の合成樹脂からなり、射出成形によってカップ状に形成されている。ここで、ＧＦの充填量が１０ｗｔ％未満ではその補強効果が発揮されず、また、４０ｗｔ％を超えて充填されると、成形品内の繊維が異方性を引き起こして密度が大きくなって寸法安定性が低下すると共に、靭性が低下し、外方部材５に圧入される時に割損する恐れがあるため好ましくない。なお、繊維状強化材としては、ＧＦに限らず、これ以外に、ＣＦ（炭素繊維）やアラミド繊維、ホウ素繊維等を例示することができる。
【００３７】
なお、キャップ本体１３の材質として、前述したＰＡ６６以外に、ＰＰＡ（ポリフタルアミド）、ＰＢＴ（ポリブチレンテレフタレート）等の所謂エンジニアリングプラスチックと呼称される熱可塑性の合成樹脂やポリフェニレンサルファイド（ＰＰＳ）、ポリエーテルエーテルケトン（ＰＥＥＫ）、ポリアミドイミド（ＰＡＩ）等の所謂スーパーエンジニアリングプラスチックと呼称される熱可塑性の合成樹脂、あるいは、フェノール樹脂（ＰＦ）、エポキシ樹脂（ＥＰ）、ポリイミド樹脂（ＰＩ）等の熱硬化性の合成樹脂であっても良い。また、環境負荷を軽減する生分解性の合成樹脂であっても良い。この生分解性の合成樹脂の成分としては、ポリ乳酸、ポリカプロラクトン、ポリグリコール酸、変性ポリビニルアルコール、カゼイン等を例示することができる。
【００３８】
ここで、図２に拡大して示すように、キャップ本体１３の径方向外方部には軸方向インナー側に突出する取付部１５が一体に突設され、この取付部１５のうち前記磁気エンコーダ１２に対応する位置に軸方向に貫通する挿入孔１６が形成されている。この挿入孔１６にセンサユニット１７がＯリング１８を介して挿入されている。
【００３９】
センサユニット１７は、ホール素子、磁気抵抗素子（ＭＲ素子）等、磁束の流れ方向に応じて特性を変化させる磁気検出素子からなる回転速度センサ１９およびこの磁気検出素子の出力波形を整える波形整形回路が組み込まれたＩＣ等からなり、車輪の回転速度を検出してその回転数を制御する自動車のアンチロックブレーキシステムを構成している。
【００４０】
回転速度センサ１９は合成樹脂からなるセンサホルダ２０内に包埋されている。このセンサホルダ２０には、挿入部２０ａと取付フランジ２０ｂが一体に形成されている。また、キャップ本体１３の取付部１５には、内周に雌ねじ２１ａが形成されたナット２１がインサート成形によって埋め込まれている。そして、取付フランジ２０ｂを介して固定ボルト２２を締結することにより、センサユニット１７が取付部１５に固定される。なお、ナット２１の外周には環状溝２１ｂが形成され、ナット２１が軸方向に移動するのを防止している。
【００４１】
本実施形態では、ナット２１のアウター側の端面に位置してナット２１内からキャップ本体１３のアウター側（軸受内部側）の端面に貫通する小径孔２３が設けられている。この小径孔２３の内周には、ナット２１のアウター側の端面に対向し、凹球面に形成された受け面２４が形成されている。そして、この受け面２４とナット２１のアウター側の端面との間に、ＮＢＲ（アクリロニトリル−ブタジエンゴム）のゴム球からなるシール部材２５がシメシロを持って介装されている。これにより、ナット２１の雌ねじ２１ａや、ナット２１の外周とキャップ本体１３との接触は、軸受内部に対して小径孔２３を介してのみ通じている。雌ねじ２１ａや固定ボルト２２の周辺で、他に軸受内部に通じる箇所がなくなり、小径孔２３はシール部材２５によって密封されることになり、ナット２１の雌ねじ２１ａや固定ボルト２２および取付フランジ２０ｂ等の間に生じている僅かな隙間と軸受内部とが遮断され、隙間を通じて、泥水等の異物が軸受内部に浸入するのを防止することができる。
【００４２】
なお、ここでは、シール部材２５の材質としてＮＢＲを例示したが、これ以外にも、例えば、耐熱性に優れたＨＮＢＲ（水素化アクリロニトリル・ブタジエンゴム）、ＥＰＤＭ（エチレンプロピレンゴム）等をはじめ、耐熱性、耐薬品性に優れたＡＣＭ（ポリアクリルゴム）、ＦＫＭ（フッ素ゴム）、あるいはシリコンゴム等を例示することができる。
【００４３】
シール部材２５が小径孔２３から脱落しないように、小径孔２３のアウター側の開口部に先端に向って漸次薄肉となる環状の保持爪２６が形成されている。保持爪２６の開口径（最小径）Ｗがシール部材２５の直径ｄよりも小径になるように設定されている（Ｗ＜ｄ）。そして、この保持爪２６とシール部材２５とを弾性変形させてシール部材２５が装着される。なお、保持爪２６は、シール部材２５の装着性を向上させるために、図示はしないが、周方向に一定間隔で対向する２つ一組の保持爪で構成されていても良いし、周方向等間隔に複数のスリットが形成されたものであっても良い。
【００４４】
ここで、保持爪２６の周囲に環状の凸部（遮蔽壁）２７が同心状に突出して形成されている。この凸部２７の先端と、小径孔２３に装着されたシール部材２５のアウター側の頂点との間に段差δ１が設けられている。すなわち、凸部２７はシール部材２５よりもアウター側に突出するように形成されている。これにより、搬送時にセンサキャップ９同士で重ねた際や組立の際、シール部材２５が他部品と干渉して外力により損傷したり小径孔２３から脱落したりするのを防止することができ、密封性を確保して信頼性を向上させると共に、取扱い性を向上させた回転速度検出装置付き車輪用軸受装置を提供することができる。
【００４５】
ここでは、凸部２７が他部品と干渉した際、凸部２７自体の弾性変形により段差δ１がなくなり、他部品にシール部材２５が接触しないよう、凸部２７が環状に形成され、その段差δ１は、成形時の寸法バラツキを考慮して０．１ｍｍ以上に設定されている。なお、凸部２７を環状かつ同心状に形成しなくても、小径孔２３の保持爪２６の近傍、すなわち、保持爪２６の根元部の周辺に形成すれば良い。この場合、段差δ１は、その凸部の弾性変形量を考慮して設定すれば良い。
【００４６】
図３に変形例を示す。この実施形態は、前述したものと基本的には小径孔周辺の構成が異なるだけで、その他同一部品同一部位あるいは同様の機能を有する部品や部位には同じ符合を付して詳細な説明を省略する。
【００４７】
（ａ）に示す凸部２８は、保持爪２６の周囲に櫛状に突出して形成されている。そして、この凸部２８の先端と、小径孔２３に装着されたシール部材２５のアウター側の頂点との間に段差δ１が設けられている。これにより、前述した実施形態と同様、シール部材２５が他部品と干渉して外力により損傷したり小径孔２３から脱落したりするのを防止することができる。
【００４８】
（ｂ）に示す凸部２９は、保持爪２６の周囲に同心状に突出し、その断面が先端に向って薄肉となる台形状に形成されている。そして、この凸部２９の先端と、小径孔２３に装着されたシール部材２５のアウター側の頂点との間に段差δ１が設けられている。これにより、前述した実施形態と同様、シール部材２５が他部品と干渉して外力により損傷したり小径孔２３から脱落したりするのを防止することができると共に、凸部２９の成形時に樹脂が流動し易くなり、成形性を向上させることができ、寸法精度を高めることができる。
【００４９】
（ｃ）に示す実施形態は、前述した実施形態と異なり、小径孔２３の周辺に凸部２８、２９は形成されておらず、小径孔２３の保持爪３０によってシール部材２５が他部品と干渉するのを防止している。具体的には、小径孔２３のアウター側の開口部に遮蔽壁となる環状の保持爪３０が形成されている。この保持爪３０は、先端に向って漸次拡径するようにラッパ状に形成され、その最小径Ｗがシール部材２５の直径ｄよりも小径（Ｗ＜ｄ）に設定され、シール部材２５を弾性変形させながら装着する。
【００５０】
そして、この保持爪３０の先端と、小径孔２３に装着されたシール部材２５のアウター側の頂点との間に段差δ２が設けられている。これにより、前述した実施形態と同様、シール部材２５が他部品と干渉して外力により損傷したり小径孔２３から脱落したりするのを防止することができると共に、シール部材２５の装着時に弾性変形し易くなって装着性が良くなり作業性を向上させることができる。
【００５１】
ここでは、保持爪３０が他部品と干渉した際、その弾性変形により段差δ２がなくなり、他部品にシール部材２５が接触しないよう、保持爪３０が環状に形成され、その段差δ２は、成形時の寸法バラツキを考慮して０．２ｍｍ以上に設定されている。
【００５２】
以上、本発明の実施の形態について説明を行ったが、本発明はこうした実施の形態に何等限定されるものではなく、あくまで例示であって、本発明の要旨を逸脱しない範囲内において、さらに種々なる形態で実施し得ることは勿論のことであり、本発明の範囲は、特許請求の範囲の記載によって示され、さらに特許請求の範囲に記載の均等の意味、および範囲内のすべての変更を含む。
【産業上の利用可能性】
【００５３】
本発明に係る回転速度検出装置付き車輪用軸受装置は、外方部材に合成樹脂製のキャップ本体が嵌合された車輪用軸受装置に適用することができる。
【符号の説明】
【００５４】
１  ハブ輪
１ａ、２ａ  内側転走面
１ｂ  小径段部
１ｃ  加締部
２  内輪
３  内方部材
４  転動体
５  外方部材
５ａ  外側転走面
５ｂ  車体取付フランジ
６  車輪取付フランジ
６ａ  ハブボルト
６ｂ  車輪取付フランジのインナー側の基部
７  保持器
８  シール
９  センサキャップ
１０  パルサリング
１１  支持環
１１ａ  円筒部
１１ｂ  立板部
１２  磁気エンコーダ
１３  キャップ本体
１４  芯金
１５  取付部
１６  挿入孔
１７  センサユニット
１８  Ｏリング
１９  回転速度センサ
２０  センサホルダ
２０ａ  挿入部
２０ｂ  取付フランジ
２１  ナット
２１ａ  雌ねじ
２１ｂ  環状溝
２２  固定ボルト
２３  小径孔
２４  受け面
２５  シール部材
２６、３０  保持爪
２７、２８、２９  凸部
５１  外方部材
５１ａ  外側転走面
５２  内方部材
５３  ボール
５４  車輪取付フランジ
５５  ハブ輪
５５ａ、５６ａ  内側転走面
５５ｂ  小径段部
５６  内輪
５７  保持器
５８  加締部
５９  シール
６０  パルサリング
６０ａ  窓
６１  センサキャップ
６２  キャップ本体
６３  金属環
６４  突部
６５  挿入孔
６６、７１  スリーブ
６７  センサ
６７ａ  Ｏリング
６８  インサートナット
６９  センサ支持部材
７０  ボルト挿通孔
７２  センサ固定ボルト
７３  小径孔
７４  受け面
７５  シール部材
ｄ  シール部材の直径
Ｗ  保持爪の開口径
δ１  凸部とシール部材の段差
δ２  保持爪とシール部材の段差
【図１】
2016121729.tif 000003
【図２】
2016121729.tif 000004
【図３】
2016121729.tif 000005
【図４】
2016121729.tif 000006
【図５】
2016121729.tif 000007
【図６】
2016121729.tif 000008